(57)【要約】【課題】ハウジングに対して端子金具をがた詰め状態に保持する。【解決手段】雌側コネクタＦは、端子収容室１６が形成された雌側ハウジング１０と、電線３８の端末部に接続され、雌側ハウジング１０の後方から端子収容室１６に挿入された雌端子金具２２と、端子収容室１６に形成され、雌端子金具２２を押圧することで雌側ハウジング１０に対する雌端子金具２２のがた付きを抑制するがた詰め部４２と、雌側ハウジング１０のうちがた詰め部４２より後方に形成され、端子収容室１６の内壁部１６Ｓが雌端子金具２２と干渉するのを回避可能な逃がし凹部４４とを備えている。【選択図】図３
2019212556.tif 000002
【特許請求の範囲】
【請求項１】
端子収容室が形成されたハウジングと、
電線の端末部に接続され、前記ハウジングの後方から前記端子収容室に挿入された端子金具と、
前記端子収容室に形成され、前記端子金具を押圧することで前記ハウジングに対する前記端子金具のがた付きを抑制するがた詰め部と、
前記ハウジングのうち前記がた詰め部より後方に形成され、前記端子収容室の内壁部が前記端子金具と干渉するのを回避可能な逃がし凹部とを備えていることを特徴とするコネクタ。
【請求項２】
前記がた詰め部が前記端子収容室の前端部のみに配されていることを特徴とする請求項１記載のコネクタ。
【請求項３】
前記ハウジングのうち前記がた詰め部より後方の領域が、相手側ハウジングのフード部と嵌合可能であることを特徴とする請求項１又は請求項２記載のコネクタ。
【請求項４】
前記がた詰め部が、前記端子金具における相手側端子との接点部の近傍に配されていることを特徴とする請求項１ないし請求項３のいずれか１項に記載のコネクタ。
【請求項５】
前記端子金具に取り付けられ、前記ハウジングのうち前記がた詰め部より後方の領域に対して弾性的に接触可能な弾性部材を備えていることを特徴とする請求項１ないし請求項４のいずれか１項に記載のコネクタ。
【請求項６】
前記弾性部材が、前記電線の外周面と前記端子収容室の内周面との間をシールする防水機能を有していることを特徴とする請求項５記載のコネクタ。
【発明の詳細な説明】
【技術分野】
【０００１】
本発明は、コネクタに関するものである。
【背景技術】
【０００２】
特許文献１には、合成樹脂製のハウジングのキャビティに端子金具を挿入したコネクタにおいて、キャビティ内における端子金具のがた付きを防止する手段として、端子金具にがた詰め片を形成し、このがた詰め片をキャビティの内壁に接触させる技術が開示されている。
【先行技術文献】
【特許文献】
【０００３】
【特許文献１】特開２０１６−４８６０３号公報
【発明の概要】
【発明が解決しようとする課題】
【０００４】
コネクタが自動二輪車のようにエンジンの振動が大きい車両に搭載された場合、端子金具に接続した電線が振動するだけでなく、合成樹脂製のハウジングも弾性的に振動することになる。このような環境下で上記のコネクタを使用すると、ハウジングの弾性的な振動に伴って、キャビティの内壁が、がた詰め片に対して離間と衝突を繰り返し、この衝突の繰り返しによって端子金具がキャビティ内で相対変位し、その結果、端子金具の相手側端子との接点部が摩耗することが懸念される。
【０００５】
本発明は上記のような事情に基づいて完成されたものであって、ハウジングに対して端子金具をがた詰め状態に保持することを目的とする。
【課題を解決するための手段】
【０００６】
本発明は、
端子収容室が形成されたハウジングと、
電線の端末部に接続され、前記ハウジングの後方から前記端子収容室に挿入された端子金具と、
前記端子収容室に形成され、前記端子金具を押圧することで前記ハウジングに対する前記端子金具のがた付きを抑制するがた詰め部と、
前記ハウジングのうち前記がた詰め部より後方に形成され、前記端子収容室の内壁部が前記端子金具と干渉するのを回避可能な逃がし凹部とを備えていることを特徴とする。
【発明の効果】
【０００７】
ハウジングが端子金具の挿入方向と交差する方向へ振動すると、端子金具が、がた詰め部と一体的に変位し、ハウジングのうちがた詰め部より後方の領域が、がた詰め部及び端子金具に対して弾性的に相対変位する。ハウジングのうちがた詰め部より後方の領域には、端子収容室の内壁部が端子金具と干渉するのを回避するための逃がし凹部が形成されているので、ハウジングのうちがた詰め部より後方の領域が端子金具に衝突する虞がない。したがって、端子金具は、端子収容室に対して、がた詰めされた状態に保持される。
【図面の簡単な説明】
【０００８】
【図１】実施例１の雌側コネクタの斜視図
【図２】雌側ハウジングの平断面図
【図３】雌側ハウジングと雄側ハウジングを嵌合した状態の平断面図
【図４】図３のＸ−Ｘ線断面図
【図５】図３のＹ−Ｙ線断面図
【図６】雌端子金具の底面図
【発明を実施するための形態】
【０００９】
本発明は、前記がた詰め部が前記端子収容室の前端部のみに配されていてもよい。この構成によれば、端子金具を端子収容室に挿入する過程で、端子金具ががた詰め部に摺接することに起因する挿入抵抗の発生を、挿入工程の終盤のみとすることができる。
【００１０】
本発明は、前記ハウジングのうち前記がた詰め部より後方の領域が相手側ハウジングのフード部と嵌合可能であってもよい。この構成によれば、ハウジングのうちがた詰め部より後方の領域の弾性的な変位が、フード部によって抑制される。
【００１１】
本発明は、前記がた詰め部が、前記端子金具における相手側端子との接点部の近傍に配されていてもよい。この構成によれば、端子金具と相手側端子との接触部分における摺動摩耗を低減することができる。
【００１２】
本発明は、前記端子金具に取り付けられ、前記ハウジングのうち前記がた詰め部より後方の領域に対して弾性的に接触可能な弾性部材を備えていてもよい。この構成によれば、がた詰め部及び端子金具に対して前記ハウジングのうち前記がた詰め部より後方の領域が弾性的に相対変位することを、弾性部材によって緩和することができる。
【００１３】
本発明は、前記弾性部材が、前記電線の外周面と前記端子収容室の内周面との間をシールする防水機能を有していてもよい。この構成によれば、弾性部材とは別に専用の防水部材を設ける場合に比べて、部品点数を削減できる。
【００１４】
＜実施例１＞
以下、本発明を具体化した実施例１を図１〜図６を参照して説明する。本実施例１の雌側コネクタＦ（請求項に記載のコネクタ）は、雄側コネクタＭを嵌合対象とする電気的接続部材である。尚、以下の説明において、雄側コネクタＭの前後方向については、図２〜４，６における左方を前方と定義し、雄側コネクタＭの前後方向については、図２〜４，６における右方を前方と定義する。上下の方向については、図１，４，５にあらわれる向きを、そのまま上方、下方と定義する。
【００１５】
雄側コネクタＭは、合成樹脂製の雄側ハウジング５０と、雄側ハウジング５０に設けた複数（本実施例１では３つ）の雄端子金具５３（請求項に記載の相手側端子）とを備えて構成されている。雄側ハウジング５０は、３つの雄端子金具５３を保持する端子保持部５１と、端子保持部５１から前方へ延出したフード部５２とを有している。各雄端子金具５３の前端部のタブ５４は、フード部５２により一括して包囲されている。
【００１６】
雌側コネクタＦは、合成樹脂製の雌側ハウジング１０（請求項に記載のハウジング）と、複数（３つ）の雌端子金具２２（請求項に記載の端子金具）とを備えている。雌側ハウジング１０は、ハウジング本体１１と、ハウジング本体１１の前端部に取り付けたフロントリテーナ１２とを備えて構成されている。ハウジング本体１１は、ブロック状の端子収容部１３と、端子収容部１３を包囲する筒状嵌合部１４とを有する。端子収容部１３の外周と筒状嵌合部１４の内周との間に設けられた空間は嵌合空間１５として機能する。
【００１７】
端子収容部１３（雌側ハウジング１０）の内部には、前後方向に細長い複数室の端子収容室１６が、左右方向に並列して形成されている。端子収容室１６の前端は、雌側ハウジング１０の前端面においてタブ挿入口１７として開口している。端子収容室１６の後端は、雌側ハウジング１０の後端面において端子挿入口１８として開口している。端子収容部１３の外周（嵌合空間１５の奥端部）には、防水用のシールリング１９が取り付けられている。
【００１８】
端子収容室１６のうち前端から前後方向中央より後方の位置に至る領域は、前後方向と直交する断面形状が概ね方形の第１収容室２０Ｆとなっている。端子収容室１６のうち第１収容室２０Ｆより後方の領域は、断面形状が円形の第２収容室２０Ｒとなっている。第１収容室２０Ｆには、第１収容室２０Ｆの下面壁に沿って前方へ片持ち状に延出した形態のランス２１が形成されている。
【００１９】
雌端子金具２２は、全体として前後方向に細長い形状をなす。雌端子金具２２のうち前端側領域には箱形部２３が形成され、雌端子金具２２のうち後端側領域には、箱形部２３の後端に連なる圧着部３５が形成されている。箱形部２３は、雌端子金具２２の前端部を構成する角筒部２４と、角筒部２４の後端に連なる連結部２５とから構成されている。角筒部２４は、平板状の上面部２６と、左右一対の平板状の側面部２７と、平板状の下面部２８とから構成されている。
【００２０】
角筒部２４の内部には、側面視において谷状に屈曲した形状の弾性接触片２９が収容されている。弾性接触片２９の最下端は、タブ５４と接触する接点部３０となっている。角筒部２４の内部には、下面部２８に沿って弾性接触片２９と対向するように配された受け板部３１が収容されている。角筒部２４の下面部２８の後端縁は、ランス２１と係止可能な係止部３２となっている。
【００２１】
連結部２５は、基板部３３と、基板部３３の左右両側縁から下方へ延出した左右対称な一対の側板部３４とから構成され、下面が開放された箱形をなす。基板部３３は、平板状をなし、角筒部２４の上板部の後端部に対し面一状をなして連なっている。左右一対の側板部３４は、平板状をなし、角筒部２４の左右両側面部２７の後端部に対し面一状に連なっている。したがって、連結部２５の幅寸法（左右方向の寸法）は角筒部２４の幅寸法と同じである。
【００２２】
圧着部３５は、連結部２５の後端に連なるオープンバレル状のワイヤバレル３６と、ワイヤバレル３６の後端に連なるオープンバレル状のインシュレーションバレル３７とから構成されている。ワイヤバレル３６の最小幅寸法は、連結部２５（箱形部２３）の幅寸法よりも小さい寸法に設定されている。ワイヤバレル３６には、電線３８のうち絶縁被覆３９を除去して露出させた芯線４０の前端部が、導通可能に且つ同軸状に圧着されている。
【００２３】
インシュレーションバレル３７には、電線３８のうち絶縁被覆３９の前端部が圧着されている。インシュレーションバレル３７には、絶縁被覆３９に外嵌した円筒形のゴム栓４１（請求項に記載の弾性部材）の前端部が、電線３８と一緒に圧着されている。ゴム栓４１の内周は、電線３８（絶縁被覆３９）の外周面に対し液密状に且つ弾性的に密着している。
【００２４】
電線３８に接続した雌端子金具２２は、雌側ハウジング１０の後方から端子収容室１６に挿入される。端子収容室１６に正規挿入された雌端子金具２２は、係止部３２をランス２１に係止させることにより抜止め状態に保持される。また、ゴム栓４１の外周が第２収容室２０Ｒの内周面（シール面）に対し弾性的に密着し、電線３８の外周面と第２収容室２０Ｒ（端子収容室１６）の内周面との間が、ゴム栓４１によって液密状にシールされる。
【００２５】
雌側ハウジング１０と雄側ハウジング５０を嵌合すると、フード部５２が嵌合空間１５に嵌入され、端子収容部１３がフード部５２内に嵌入される。両ハウジング１０，５０が正規嵌合した状態では、フード部５２の前端部内周がシールリング１９の外周に接触し、端子収容部１３の外周とフード部５２の内周との間が、シールリング１９によって液密状にシールされる。また、タブ５４が、タブ挿入口１７を貫通して雌端子金具２２の角筒部２４内に進入し、弾性接触片２９と受け板部３１との間で弾性的に挟圧される。弾性接触片２９の接点部３０はタブ５４の上面に対し弾性的に接触し、両端子金具２２，５３が所定の接触圧で導通可能に接続される。
【００２６】
雌側ハウジング１０には、端子収容室１６に正規挿入された雌端子金具２２の前端部をがた詰めするためのがた詰め部４２が形成されている。がた詰め部４２は、端子収容室１６（第１収容室２０Ｆ）の前端部の左右両内壁部１６Ｓから部分的に突出した形態である。左右で対をなすように形成されたがた詰め部４２の最小幅（最小対向間隔）は、角筒部２４（箱形部２３）の幅寸法より小さい。雌端子金具２２が端子収容室１６に正規挿入されると、角筒部２４の前端部が一対のがた詰め部４２によって左右から押圧され、雌端子金具２２の前端部が雌側ハウジング１０（端子収容部１３）の前端部に対し左右方向（端子収容部１３に対する雌端子金具２２の挿入方向と交差する方向）へがた付くこと（相対変位すること）が抑制又は規制される。
【００２７】
雌側ハウジング１０のうち前後方向においてがた詰め部４２の形成範囲を含む領域は、比較的剛性の高い高剛性部４３Ｈとなっており、高剛性部４３Ｈより後方の領域は、高剛性部４３Ｈより剛性の低い低剛性部４３Ｌとなっている。高剛性部４３Ｈと低剛性部４３Ｌの剛性は、特定部位を境界として極端に相違するのではなく、雌側ハウジング１０の前端側から後端側に向かって徐々に剛性が低下している。但し、本実施例１では、便宜上、角筒部２４の後端（連結部２５の前端）と対応する位置より前方の全領域を高剛性部４３Ｈと規定し、角筒部２４の後端と対応する位置より後方の全領域を低剛性部４３Ｌと規定する。
【００２８】
両コネクタＦ，Ｍが自動二輪車のようにエンジンの振動が大きい車両に搭載された場合、雌端子金具２２に接続した電線３８が振動するだけでなく、雌側ハウジング１０のうち剛性の低い低剛性部４３Ｌが弾性的に振動するため、端子収容室１６の内壁部１６Ｓが雌端子金具２２に対して離間と衝突を繰り返す虞がある。雌端子金具２２の前端部は、がた詰め部４２によって雌側ハウジング１０の高剛性部４３Ｈに固定されているが、角筒部２４より後方の部位に対して上記の衝突が繰り返されると、雌端子金具２２ががた詰め部４２を支点として左右に相対変位し、その結果、雌端子金具２２の接点部３０とタブ５４との接触部分が摩耗することが懸念される。
【００２９】
その対策として、本実施例１では、図２及び図３に示すように、端子収容室１６の左右両内壁部１６Ｓに左右一対の逃がし凹部４４を形成している。逃がし凹部４４は、端子収容室１６の左右両内側面のうち第１収容室２０Ｆの後端側領域を、第１収容室２０Ｆの前端側領域よりも凹ませた形態である。換言すると、第１収容室２０Ｆの後端側領域を、第１収容室２０Ｆの前端側領域よりも幅広とした形態である。高さ方向における逃がし凹部４４の形成範囲は、第１収容室２０Ｆの下端から上端に亘っている。
【００３０】
雌端子金具２２が端子収容室１６に正規挿入された状態で、第１収容室２０Ｆには、角筒部２４の全領域と、連結部２５の全領域と、ワイヤバレル部３６のほぼ全領域が収容される。前後方向において、逃がし凹部４４の形成範囲は、角筒部２４の後端（連結部２５の前端）と対応する位置から、第１収容室２０Ｆの後端（ワイヤバレル部３６の後端より少し前方の位置）に至る領域である。逃がし凹部４４の内側面と雌端子金具２２（連結部２５）の外側面との間には、干渉回避空間４５が確保されている。
【００３１】
雌側ハウジング１０の低剛性部４３Ｌが左右方向への弾性変形を繰り返すと、第１収容室２０Ｆの内壁部１６Ｓが、連結部２５及びワイヤバレル部３６に対して接近・離間を繰り返す。しかし、連結部２５及びワイヤバレル部３６と第１収容室２０Ｆの内壁部１６Ｓとの間には、干渉回避空間４５が空けられているので、第１収容室２０Ｆの内壁部１６Ｓが、連結部２５やワイヤバレル部３６に対して衝突する回数を低減することができる。
【００３２】
上述のように本実施例１の雌側コネクタＦは、内部に端子収容室１６が形成された合成樹脂製の雌側ハウジング１０と、電線３８の端末部に接続され、雌側ハウジング１０の後方から端子収容室１６に挿入された雌端子金具２２と、がた詰め部４２と、逃がし凹部４４とを備えている。がた詰め部４２は、端子収容室１６に形成され、雌端子金具２２を押圧することで雌側ハウジング１０に対して雌端子金具２２が挿入方向と交差する左右方向へがた付くことを抑制又は規制する。また、逃がし凹部４４は、雌側ハウジング１０のうちがた詰め部４２より後方の領域（がた詰め部４２の形成領域より剛性の低い低剛性部４３Ｌ）に形成されている。逃がし凹部４４は、端子収容室１６の内壁部１６Ｓが雌端子金具２２と干渉するのを回避可能な手段として機能する。
【００３３】
雌側ハウジング１０が雌端子金具２２の挿入方向と交差する左右方向へ振動すると、雌端子金具２２が、がた詰め部４２と一体的に変位し、雌側ハウジング１０のうちがた詰め部４２より後方の領域の低剛性部４３Ｌが、がた詰め部４２及び雌端子金具２２に対して弾性的に相対変位する。低剛性部４３Ｌには、端子収容室１６の内壁部１６Ｓが雌端子金具２２と干渉するのを回避するための逃がし凹部４４が形成されているので、低剛性部４３Ｌが雌端子金具２２に衝突する虞がない。したがって、雌端子金具２２は、左右方向へ変位する虞がなく、がた詰め部４２によってがた詰めされた状態に保たれる。これにより、雌端子金具２２の接点部３０とタブ５４との接触部分において、摺動摩耗が生じることはない。
【００３４】
また、がた詰め部４２は、雌端子金具２２における雄端子金具５３（タブ５４）との接点部３０の近傍、詳細には接点部３０より僅かに前方の位置に配されている。この構成によれば、雌端子金具２２と雄端子金具５３との接触部分における摺動摩耗を、より効果的に低減することができる。
【００３５】
また、がた詰め部４２は端子収容室１６の前端部のみに配されている。この構成によれば、雌端子金具２２を雌側ハウジング１０の後方から端子収容室１６に挿入する過程では、雌端子金具２２ががた詰め部４２に摺接することに起因する挿入抵抗の発生が、挿入工程の終盤のみとなる。したがって、雌端子金具２２を挿入する際の作業性が良好となる。
【００３６】
また、雌側ハウジング１０の端子収容部１３のうち、前後方向において逃がし凹部４４と対応する領域（がた詰め部４２より後方の領域）はがた詰め部４２より剛性の低い低剛性部４３Ｌとなっているが、この低剛性部４３Ｌは、雄側ハウジング５０のフード部５２と嵌合可能である。そして、低剛性部４３Ｌの外周は、フード部５２の内周面との間に介在するシールリング１９によって弾性的に包囲されている。したがって、低剛性部４３Ｌの左右方向への弾性変位は、シールリング１９とフード部５２とによって抑制されている。
【００３７】
また、雌端子金具２２の後端部には、低剛性部４３Ｌ（端子収容室１６の内周面）に対して弾性的に接触するゴム栓４１が取り付けられている。ゴム栓４１は、前後方向において、雌端子金具２２のうち逃がし凹部４４と対向する領域より後方の位置に配されている。この構成によれば、がた詰め部４２及び雌端子金具２２に対する低剛性部４３Ｌの弾性的相対変位を、ゴム栓４１によって緩和することができる。また、ゴム栓４１は、電線３８の外周面と端子収容室１６の内周面との間をシールする防水機能を有しているので、ゴム栓４１とは別に専用の防水部材を設ける場合に比べて、部品点数を削減できる。
【００３８】
＜他の実施例＞
本発明は上記記述及び図面によって説明した実施例１に限定されるものではなく、例えば次のような実施例も本発明の技術的範囲に含まれる。
（１）上記実施例１では、がた詰め対象が、前端部に角筒部を有する雌端子金具である場合について説明したが、本発明は、がた詰め対象が、前端部にタブを有する雄端子金具である場合にも適用できる。
（２）上記実施例１では、がた詰め部を端子収容室の前端部に配したが、がた詰め部は、端子収容室の前端部より後方の領域に配してもよい。
（３）上記実施例１では、弾性部材が防水機能を兼ね備えているものであるが、弾性部材は、防水機能を有しないものであってもよい。
（４）上記実施例１では、雌端子金具にゴム栓（弾性部材）を取り付けたが、雌端子金具にゴム栓を取り付けない形態としてもよい。
（５）上記実施例１では、前後方向における逃がし凹部の形成範囲が、角筒部の後端（連結部の前端）より概ね後方の領域であるが、逃がし凹部の前後方向の形成範囲は、角筒部の後端部と対応する領域を含んでいてもよい。
（６）上記実施例１では、低剛性部が雄側ハウジング（相手側ハウジング）のフード部と嵌合可能であるが、低剛性部は、フード部と嵌合しない形態であってもよい。
（７）上記実施例１では、ハウジングのうちがた詰め部より後方の領域を、がた詰め部の形成領域より剛性の低い低剛性部としたが、ハウジングのうちがた詰め部より後方の領域の剛性は、がた詰め部の形成領域と同じでもよく、がた詰め部の形成領域より高くてもよい。
【符号の説明】
【００３９】
Ｆ…雌側コネクタ（コネクタ）
１０…雌側ハウジング（ハウジング）
１６…端子収容室
１６Ｓ…端子収容室の内壁部
２２…雌端子金具（端子金具）
３０…接点部
３８…電線
４１…ゴム栓（弾性部材）
４２…がた詰め部
４３Ｌ…低剛性部
４４…逃がし凹部
５０…雄側ハウジング（相手側ハウジング）
５２…フード部
５３…雄端子金具（相手側端子）
【図１】
2019212556.tif 000003
【図２】
2019212556.tif 000004
【図３】
2019212556.tif 000005
【図４】
2019212556.tif 000006
【図５】
2019212556.tif 000007
【図６】
2019212556.tif 000008